(57)【要約】【課題】  椅子及びベッドの各機能が満足できる、コンパクトで使いやすい椅子兼用ベッドを提供する。【解決手段】  椅子兼用ベッドは、側枠９の間に取り付けられた座部２と、端部に取り付けられたリクライニングギア８を軸に回動可能に側枠に取り付けられた背もたれ部３と、座部の前方側へ移動した連続部構成体４と、座部の後方側へ移動した支持体５と、リクライニングギアが取り付けられた端部とは反対側の背もたれ部の端部に回動可能に取り付けられた枕部６と、連続部構成体内に収容された、連続部構成体を所定の高さに位置せしめる第１の脚部７と、支持体を所定の高さに位置せしめる第２の脚部１０から構成されている。第１の脚部７及び第２の脚部１０にはそれぞれ横材が取り付けられ、座部、背もたれ部、連続部構成体、枕部には、脱着できるようスナップでカバーシートが取り付けられている。【選択図】  図７
2006158704.tif 000002
【特許請求の範囲】
【請求項１】
座部と、
一端において前記座部に対して回動可能に配置された背もたれ部と、
前記座部に沿って移動可能であると共に、前記座部の後方側へ移動せしめることにより同座部を支持する支持体と、
前記座部に沿って移動可能であると共に、前記座部の前方側へ移動せしめることにより前記座部と略連続する連続部を構成する連続部構成体を備える
椅子兼用ベッド。
【請求項２】
前記背もたれ部の一端とは反対側の他端に、回動可能に連結された枕部を備える
請求項１に記載の椅子兼用ベッド。
【請求項３】
前記支持体は、同支持体を所定高さに位置せしめる起倒可能な脚部を備える
請求項１または請求項２に記載の椅子兼用ベッド。
【請求項４】
前記連続部構成体は、同連続部構成体を所定高さに位置せしめる起倒可能な脚部を備える
請求項１〜３のいずれか１つに記載の椅子兼用ベッド。
【請求項５】
前記座部、前記背もたれ部、前記連続部構成体及び前記枕部は、それぞれを横断する湾曲状の部材を備える
請求項２〜４のいずれか１つに記載の椅子兼用ベッド。
【請求項６】
前記座部、前記背もたれ部、前記連続部構成体及び前記枕部はそれぞれ、脱着可能なシートを備える
請求項２〜５のいずれか１つに記載の椅子兼用ベッド。
【発明の詳細な説明】
【技術分野】
【０００１】
本発明は椅子兼用ベッドに関する。詳しくは、複数の部材を互いに他の部材に沿わせて移動可能に組み合わせることによって、椅子とベッドの両方の機能を兼ね備えるようにした椅子兼用ベッドに係るものである。
【背景技術】
【０００２】
椅子とベッドは、人間の体を支えるという点で機能的に共通しており、両者の機能を備える椅子兼用ベッドが数多く存在する。
【０００３】
ところが、椅子とベッドの機能を相互に変換するための操作が複雑であり、また、椅子及びベッドの各機能が満足できるものではなく、操作が簡単であると共に椅子及びベッドの各機能が満足できるものである椅子兼用ベッドが求められていた。例えば従来の椅子兼用ベッドとしては、特許文献１に記載されているものが挙げられる。図１に、従来の椅子兼用ベッドの椅子の状態を表す概略側面図を示す。
【０００４】
図１に示すように、従来の椅子兼用ベッドは、コ字状に折り曲げられた上フレーム１０２及び上フレーム１０２の上面に連結された上クッション１０３（傾動する背もたれ部１０３Ａと上フレーム１０２に固定される固定部１０３Ｂからなる）を備えた上ベッド部１０１と、コ字状に折り曲げられた下フレーム１０５及び下フレーム１０５に連結された下クッション１０６を備えた下ベッド部１０４と、上フレーム１０２の先端に固定された第１ベッド脚１０７と、下フレーム１０５の両側の先端部に固定された第２ベッド脚１０８と、背もたれ部の中央部を上フレーム１０２の両側に連結する、縦パイプ１０９Ａと横パイプ１０９Ｂからなる折曲アーム１０９と、下ベッド部１０４から突出して配設されたストッパ隔壁１１０と、上フレーム１０２と下フレーム１０５を折曲できるよう連結する連結部材１１１と、上フレーム１０２と下フレーム１０５を回動自在に連結する連結ピン１１２と、横パイプ１０９Ｂの先端を背もたれ部の中央部の側面に回動自在に連結すると共に縦パイプ１０９Ａの先端を上フレーム１０２の側面に回動自在に連結する回転軸１１３と、折曲アーム１０９の中間部を覆う緩衝部材１１４と、第２ベッド脚１０８を下フレーム１０５の側面に回動自在に連結する回転軸１１５と、第２ベッド脚１０８の下端部を連結する連結プレート１１６と、ストッパ隔壁を覆う緩衝部材１１７から構成されている。
【０００５】
【特許文献１】特開２００１−５４４４４号公報
【発明の開示】
【発明が解決しようとする課題】
【０００６】
しかしながら、従来の椅子兼用ベッドは、折りたたんで椅子とした場合、椅子として不要な部材が多く、かさ張り過ぎており、また、上フレームと下フレームを折りたたむ際に山形にして折りたたむので、椅子兼用ベッドが不安定になり、更に、椅子として使用する場合には、折りたたんだ状態から上ベッド部を上側にして倒すので、倒す際にベッド部を支えながらゆっくり倒す必要があり、更にコンパクトで使いやすい椅子兼用ベッドが求められていた。
【０００７】
本発明は、以上の点に鑑みて創案されたものであり、椅子とベッドの間の相互変更を円滑に行なえて、椅子及びベッドの各機能が満足できる、コンパクトで使いやすい椅子兼用ベッドを提供することを目的とするものである。
【課題を解決するための手段】
【０００８】
上記の目的を達成するために、本発明の椅子兼用ベッドは、座部と、一端において前記座部に対して回動可能に配置された背もたれ部と、前記座部に沿って移動可能であると共に、前記座部の後方側へ移動せしめることにより同座部を支持する支持体と、前記座部に沿って移動可能であると共に、前記座部の前方側へ移動せしめることにより前記座部と略連続する連続部を構成する連続部構成体を備える。
【０００９】
ここで、座部に沿って移動可能であると共に座部の後方側へ移動せしめることにより座部を支持する支持体や、座部に沿って移動可能であると共に座部の前方側へ移動せしめることにより座部と略連続する連続部を構成する連続部構成体によって、特別大きな力を必要とせずに、自由に椅子兼用ベッドの形態を変えることができる。また、支持体によって、椅子兼用ベッドを座椅子として使用した場合に座椅子を安定させる。なお、ここでいう「後方」とは、背もたれ部が回動して座部と略同一平面内に位置しようとする方向を意味し、「前方」とは後方の反対方向を意味する。
【発明の効果】
【００１０】
本発明に係る椅子兼用ベッドは、椅子とベッドの間の相互変更を円滑に行なうことができ、椅子及びベッドの各機能が満足できて、コンパクトで使いやすいものである。
【発明を実施するための最良の形態】
【００１１】
以下、本発明の実施の形態について図面を参照しながら説明し、本発明の理解に供する。図２は、本発明を適用した椅子兼用ベッドの折りたたまれた状態の一例を示す概略側面図である。図２に示す椅子兼用ベッド１は、互いに平行に位置する２つの平板状の側枠９（片方は不図示）の間に取り付けられた人が着座できる座部２と、端部に取り付けられたリクライニングギア８を軸に回動可能に側枠に取り付けられた、人の背を保持する背もたれ部３と、座部の上方であると共に座部に沿って座部の前方側へ移動可能に２つの側枠９の間に配置された連続部構成体４と、座部の下方で座部を支えると共に座部に沿って座部の後方側へ移動可能に２つの側枠９の間に配置された支持体５と、リクライニングギアが取り付けられた端部とは反対側の背もたれ部の端部に回動可能に取り付けられた、人の頭部を保持する枕部６と、連続部構成体内に収容できるよう連続部構成体に起倒可能に取り付けられた、連続部構成体を所定の高さに位置せしめる第１の脚部７と、支持体内に収容できるよう支持体に起倒可能に取り付けられた、支持体を所定の高さに位置せしめる第２の脚部１０から構成されている。ここで、「所定の高さ」とは、本発明を適用した椅子兼用ベッドを椅子やベッドの状態にした際に、ローテーブルやローチェア等の高さと略同一となる高さを意味する。
【００１２】
ここで、座部は人が着座できるように構成されていれば、背もたれ部は回動可能に配置されていれば、連続部構成体は座部に沿って移動可能であると共に座部の前方に移動して座部と略連続する連続体を構成できるよう構成されていれば、支持体は座部に沿って移動可能であると共に座部の後方に移動して座部を支えるよう構成されていれば、枕部はリクライニングギアが取り付けられた端部とは反対側の背もたれ部の端部に回動可能に取り付けられていれば、第１の脚部及び第２の脚部はそれぞれ連続部構成体内及び支持体内に収容できるよう取り付けられれば、そして側枠は座部やリクライニングギアが取り付けられるのであれば、それぞれどのような材質で構成されていてもよく、例えば木材、金属、プラスチック、または金属をプラスチックで覆ったもので構成されていてもよいが、木材やプラスチックで構成されていれば、軽量で持ち運びやすくなり好ましい。
【００１３】
また、枕部は、上記の座部、背もたれ部、連続部構成体及び支持体が備わっていれば、取り付けなくてもよい。
【００１４】
更に、第１の脚部及び第２の脚部は、上記の座部、背もたれ部、連続部構成体及び支持体が備わっていれば、取り付けなくてもよい。
【００１５】
また、リクライニングギアは、側枠の外側面と背もたれ部の一端に取り付けられて、背もたれ部を回動できるようにしているが、背もたれ部が回動可能に取り付けられれば、リクライニングギアは側枠の外側面に取り付けなくてもよく、例えば座部の端部と背もたれ部の端部に取り付けられてもよい。
【００１６】
また、側枠は、上記の座部、背もたれ部、連続部構成体及び支持体が備わっていれば、取り付けなくてもよい。
【００１７】
図３は、本発明を適用した椅子兼用ベッドの座椅子状態の一例を示す概略側面図である。図３において、背もたれ部３はリクライニングギアを軸にして回動し、回動途中でリクライニングギアによって背もたれ部は鉛直方向に対して傾斜して固定されている。また、枕部６は、リクライニングギアが取り付けられた端部とは反対側の背もたれ部の端部において回動し、背もたれ部の縦軸方向と同軸上に配置されている。更に、支持体５を、椅子兼用ベッドの後方（固定された背もたれ部側）へ移動させ、椅子兼用ベッドの重心を後部に移して、座椅子状態の椅子兼用ベッドに人が座ったときに後方へ転倒しないようにしている。また、図３において連続部構成体４は座部２の上に位置しているが、この状態で人は連続部構成体４に着座することができ、また、連続部構成体４を椅子兼用ベッドの前方（固定された背もたれ部とは反対側）へ座部に沿って移動させ、連続部構成体４に足を載せて座部２に座ることもできる。また、連続部構成体４または座部２に座る場合、側枠９の上面は肘当てになり、座部やリクライニングギアが取り付けられるのであれば、肘を側枠の上面に載せた場合に手が位置することになる側枠の前方部分の上面の形状に丸みを持たせて、手触りを良くしてもよい。
【００１８】
図４は、本発明を適用した椅子兼用ベッドの椅子状態の一例を示す概略側面図である。ここで、連続部構成体４は椅子兼用ベッドの前方へ移動され、そして支持体５内に収容されていた第２の脚部１０が起こされて、座部２や支持体５等を支えている。また、背もたれ部３の端部と枕部６の端部とが、円筒蝶番１２を介して繋がっており、枕部は、円筒蝶番によって、人の頭部等が接する枕部の面が人の背や頭部等が接する背もたれ部の面に接して折りたたまれた位置と、背もたれ部と略同一平面を構成する位置との間を回動する。また、円筒蝶番は、人の頭部等が接する枕部の面が人の背や頭部等が接する背もたれ部の面に接して折りたたまれた位置と背もたれ部と略同一平面を構成する位置に枕部があるときに、枕部を固定するよう構成されている。ここで、折りたたまれた位置と、背もたれ部と略同一平面を構成する位置との間を枕部が回動できると共に、それぞれの位置で枕部を固定できれば円筒蝶番でなくてもよい。
【００１９】
図５は、本発明を適用した椅子兼用ベッドのベッド状態の一例を示す概略側面図である。ここで、背もたれ部３は倒され、また、前方へ移動させた連続部構成体４内に収容されていた第１の脚部７が起こされて連続部構成体４を支え、そして支持体５と第２の脚部１０は主に座部２と背もたれ部３を支えて、座部２、背もたれ部３、連続部構成体４及び枕部６は略同一平面内に位置している。
【００２０】
図６は、図２に示したＡ−Ａ'線に沿った概略断面図である。ここで、座部２、背もたれ部３、連続部構成体４並びに枕部６それぞれの、人の背、でん部及び頭等が当たる面（座部、背もたれ部、連続部構成体並びに枕部それぞれを横断する部材）は湾曲している。また、支持体５を横断する部材は、座部２を横断する湾曲した部材の下面に当たるため湾曲している。更に連続部構成体４及び支持体５の内側には、それぞれ第１の脚部７及び第２の脚部１０が収まっており、第２の脚部１０は第２の脚部を横断する第２の脚部横材１０Ａを備えて座部２等を安定して支えられるように構成されている。また、座部２、連続部構成体４及び支持体５の両外側には、側枠９が配置されている。ここで、座部２等を安定して支えることができれば、第２の脚部に第２の脚部横材１０Ａを取り付けなくてもよい。
【００２１】
図７は、本発明を適用した椅子兼用ベッドの椅子状態の一例を示す概略斜視図である。ここで、座部２、背もたれ部３、連続部構成体４及び枕部６それぞれの人の体が接する面には、メッシュが張り付け固定されている（不図示）。また、座部２は側枠９に対して平行に配置された２つの座部フレーム２Ａと座部フレームに対して垂直に配置された３つの湾曲した座部横材２Ｂからなり、背もたれ部３は座部フレームに対して平行に配置された背もたれ部フレーム３Ａと背もたれ部フレームに対して垂直に配置された３つの湾曲した背もたれ部横材３Ｂからなり、連続部構成体４は座部フレームに対して平行に配置された連続部構成体フレーム４Ａと連続部構成体フレームに対して垂直に配置された３つの湾曲した連続部構成体横材４Ｂからなり、支持体５は座部フレームに対して平行に配置された支持体フレーム５Ａと支持体フレームに対して垂直に配置された２つの湾曲した支持体横材５Ｂからなり、そして枕部６は背もたれ部フレームに対して平行に配置された枕部フレーム６Ａと枕部フレームに対して垂直に配置された２つの湾曲した枕部横材６Ｂからなる。更に、連続部構成体フレーム４Ａ及び支持体フレーム５Ａからはそれぞれスライドピン１３が突出している。
【００２２】
また、座部２等に向いた側枠９の面には第１の溝部１１及び第２の溝部１４が形成されており、連続部構成体フレーム４Ａから外側へ突出したスライドピン１３が第１の溝部１１に、支持体フレーム５Ａから外側へ突出したスライドピン１３が第２の溝部１４にそれぞれ挿入され、連続部構成体４及び支持体５はそれぞれ第１の溝部１１及び第２の溝部１４に沿って移動する。更に、第1の溝部１１と第２の溝部１４は、スライドピンが各溝部に挿入されると共に各溝部に沿って移動できれば、互いに同様の溝幅及び溝深さを有するよう構成されていてもよい。また、連続部構成体フレーム４Ａから突出しているスライドピン１３は、突出している部分以外は連続部構成体フレーム内及び連続部構成体横材内に埋め込まれている。また、座部２、背もたれ部３、連続部構成体４及び枕部６それぞれの人の体が接する面側には、脱着できるようスナップでカバーシート（不図示）がメッシュ（不図示）の上から取り付けられている。また、連続部構成体４の内側には、第１の脚部を横断する第１の脚部横材７Ａが備わった第１の脚部７が収められており、連続部構成体４を安定して支えることができるようになっている。
【００２３】
ここで、連続部構成体４を安定して支えることができれば、第１の脚部に第１の脚部横材７Ａを取り付けなくてもよい。また、連続部構成体や支持体が座部に沿って移動と固定ができれば、溝部やスライドピンは設けなくてもよい。更に、座部、背もたれ部、連続部構成体、支持体が備わっていれば、椅子兼用ベッドにカバーシートを取り付けなくてもよい。このカバーシートとしては、例えば、木綿地シート、タオル地シート、麻地シート、デニム地シート、コーデュロイ地シート、合成皮革シート、本皮革シート、また更にオーディオ機能が付いたシートやマッサージ機能が付いたシートが挙げられる。
【００２４】
また、座部は人が着座できるように構成されていれば、背もたれ部は回動可能に配置されていれば、連続部構成体は座部に沿って移動可能であると共に座部の前方に移動して座部と略連続する連続体を構成できるよう構成されていれば、支持体は座部に沿って移動可能であると共に座部の後方に移動して座部を支えるよう構成されていれば、枕部はリクライニングギアが取り付けられた端部とは反対側の背もたれ部の端部に回動可能に取り付けられていれば、それぞれフレームと横材から構成されていなくてもよく、例えば一枚板状に構成されていてもよいし、更に、横材は湾曲していなくてもよい。
【００２５】
図８は、スライドピンの固定機構の一例を示す概略説明図であり、図８（ａ）はスライドピンの固定が解除された状態を示しており、図８（ｂ）はスライドピンが固定された状態を示している。ここで、側枠に形成された第１の溝部１１の端部には、開口部が形成されたスライドピン固定具１５が第１の溝部の端部を囲むように配置されており、図８（ａ）に示すようにスライドピン固定具１５の開口部と第１の溝部１１とが重なると、スライドピン１３は自由に溝部に沿って移動することができ、一方、図８（ｂ）に示すようにスライドピン固定具１５が１８０度回動してスライドピン固定具１５の開口部が第１の溝部１１と重ならなくなると、スライドピン１３は固定される。スライドピン固定具は、側枠の外側（座部等が配置された側とは反対側）に突出した部分（不図示）を有し、この突出した部分を掴んでスライドピン固定具を回動させる。
【００２６】
図９は、連続部構成体の一連の動きを示す概略平面図であり、図９（ａ）は連続部構成体が側枠間に配置されている状態を、図９（ｂ）は第１の溝部に沿って連続部構成体が移動している状態を、そして図９（ｃ）は連続部構成体が椅子兼用ベッドの前方へ引き出された状態をそれぞれ示している。ここで、スライドピン１３は椅子兼用ベッドの後方へ突出したつまみ部１３Ａがそれぞれ備わった２つの部材に分けられ、この２つの部材はバネ１６を介して繋がっている。図９（ａ）において、スライドピン１３の両端部は側枠９の後方部に形成されたピン固定穴１７に収容されており、これにより連続部構成体４は固定されて移動不能になっている。図９（ｂ）において、スライドピン１３のつまみ部１３Ａを指で挟んでバネ１６を収縮させ、スライドピン１３の両端部をピン固定穴１７から抜き出し、そして第１の溝部１１内をスライドピン１３の両端部が椅子兼用ベッドの前方へ移動することで、連続部構成体４は前方へ移動する。ここで、ピン固定穴１７の深さは、第１の溝部１１の深さよりも深くなっている。そして図９（ｃ）において、スライドピン１３の両端部は側枠９の前方部に形成されたピン固定穴１７に収容されており、これにより連続部構成体４は固定されて移動不能になっている。
【００２７】
ここで、連続部構成体や支持体がそれぞれ座部に沿って移動と固定ができれば、図８に示すようなスライドピンの固定機構を用いてもよいし、また図９に示すようなスライドピンの固定機構を用いてもよい。
【００２８】
本発明を適用した椅子兼用ベッドは、リクライニングギアによって背もたれ部を任意の位置で固定できるので、好みの背もたれ角度で着座できる。また、椅子兼用ベッドは折りたたまれた状態において、座部、連続部構成体及び支持体が２つの側枠間に積み重なって配置され、そして背もたれ部がこれらの上方に同じく積み重なって配置されるので、コンパクトであり持ち運びに便利である。更に、座部、背もたれ部、連続部構成体及び枕部がそれぞれフレームと横材から構成されているので、風通しが良く、夏季においては涼感が得られる。また、冬季においては座部、背もたれ部、連続部構成体及び枕部に暖かなコーデュロイ地シート等を張り付けることによって、暖かみを得られる。
【図面の簡単な説明】
【００２９】
【図１】従来の椅子兼用ベッドの椅子の状態を表す概略側面図である。
【図２】本発明を適用した椅子兼用ベッドの折りたたまれた状態の一例を示す概略側面図である。
【図３】本発明を適用した椅子兼用ベッドの座椅子状態の一例を示す概略側面図である。
【図４】本発明を適用した椅子兼用ベッドの椅子状態の一例を示す概略側面図である。
【図５】本発明を適用した椅子兼用ベッドのベッド状態の一例を示す概略側面図である。
【図６】図２に示したＡ−Ａ'線に沿った概略断面図である。
【図７】本発明を適用した椅子兼用ベッドの椅子状態の一例を示す概略斜視図である。
【図８】スライドピンの固定機構の一例を示す概略説明図であり、（ａ）はスライドピンの固定が解除された状態を、（ｂ）はスライドピンが固定された状態をそれぞれ示す。
【図９】連続部構成体の一連の動きを示す概略平面図であり、（ａ）は連続部構成体が側枠間に配置されている状態を、（ｂ）は第１の溝部に沿って連続部構成体が移動している状態を、（ｃ）は連続部構成体が椅子兼用ベッドの前方へ引き出された状態をそれぞれ示す。
【符号の説明】
【００３０】
１    椅子兼用ベッド
２    座部
２Ａ  座部フレーム
２Ｂ  座部横材
３    背もたれ部
３Ａ  背もたれ部フレーム
３Ｂ  背もたれ部横材
４    連続部構成体
４Ａ  連続部構成体フレーム
４Ｂ  連続部構成体横材
５    支持体
５Ａ  支持体フレーム
５Ｂ  支持体横材
６    枕部
６Ａ  枕部フレーム
６Ｂ  枕部横材
７    第１の脚部
７Ａ  第１の脚部横材
８    リクライニングギア
９    側枠
１０    第２の脚部
１０Ａ  第２の脚部横材
１１    第１の溝部
１２    円筒蝶番
１３    スライドピン
１３Ａ  つまみ部
１４    第２の溝部
１５    スライドピン固定具
１６    バネ
１７    ピン固定穴
【図１】
2006158704.tif 000003
【図２】
2006158704.tif 000004
【図３】
2006158704.tif 000005
【図４】
2006158704.tif 000006
【図５】
2006158704.tif 000007
【図６】
2006158704.tif 000008
【図７】
2006158704.tif 000009
【図８】
2006158704.tif 000010
【図９】
2006158704.tif 000011